(57)【特許請求の範囲】
【請求項１】
使用済みの原紙を収納する排版装置において、
廃棄原紙案内用の空間からなる移動空間部と、廃棄原紙収納用の空間からなる収納空間部の２つの連通した空間部を有する収納容器と、
前記移動空間部と前記収納空間部との間の分離位置で前記移動空間部と前記収納空間部とを分離している可動部材と、
前記移動空間部を通過し、さらに前記可動部材上を移動することのできる圧縮板とを有し、
前記圧縮板には、往動時にのみ前記可動部材を押動し、復動時には前記可動部材の通過を許すように変位する一方向ロック機構が設けられていることを特徴とする排版装置。
【請求項２】
使用済みの原紙を収納する排版装置において、
廃棄原紙案内用の空間からなる移動空間部と、廃棄原紙収納用の空間からなる収納空間部の２つの連通した空間部を有する収納容器と、
廃棄原紙を印刷ドラムから前記移動空間部の入口である開口部に搬送する搬送手段と、  前記移動空間部と前記収納空間部との間の分離位置で前記移動空間部と前記収納空間部とを分離している可動部材と、
前記開口部の外側から前記開口部及び前記移動空間部を通過し、さらに前記可動部材を越える範囲で移動することのできる圧縮板とを有し、
前記圧縮板には、往動時にのみ前記可動部材を押動し、復動時には前記可動部材の通過を許すように変位する一方向ロック機構が設けられていることを特徴とする排版装置。
【請求項３】
請求項２記載の排版装置において、前記圧縮板は前記開口部の外側から前記可動部材を越える位置まで往動したのち、復動することを特徴とする排版装置。
【請求項４】
請求項１乃至３の何れか一つに記載の排版装置において、前記可動部材は前記分離位置を原位置とし、前記圧縮板が前記移動空間部を通過中において、該圧縮板の通過を許す範囲で該圧縮板に押し動かれて前記移動空間外に向けて可動であることを特徴とする排版装置。
【請求項５】
請求項１乃至３の何れか一つに記載の排版装置において、前記圧縮板は前記分離位置近傍に揺動支点を有し、前記可動部材は前記移動空間部近傍に揺動支点を有し、前記可動部材の前記圧縮板により押し動かされる干渉部は、前記移動空間部側から前記収納空間部に至るほど前記圧縮部材との干渉の度合いが増す傾向の傾斜面で構成されていることを特徴とする排版装置。
【請求項６】
請求項５記載の排版装置において、前記可動部材が前記原位置にあるとき前記可動部材の前記揺動支点と反対側の端縁部は前記分離位置に位置し、前記収納空間部内の廃棄原紙を前記収納空間部外に出るのを防止すること特徴とする排版装置。
【発明の詳細な説明】
【０００１】
【発明の属する技術分野】
この発明は、孔版印刷装置等の排版装置に関する。
【０００２】
【従来の技術】
従来、孔版印刷装置の排版装置は、使用により印刷ドラムから破棄すべき原紙（以下、廃棄原紙という。）を排版装置開口部に搬送し、収納空間まで圧縮板で移動圧縮して廃棄原紙を収納していたが、廃棄原紙を破棄せずに長期放置したり、印刷ドラム内にインクが無い状態のとき、前記廃棄原紙の水分量が少ないため、廃棄原紙を圧縮しても自然に前記搬送手段の位置まで膨らんで、該搬送手段に絡まってしまい、その後の動作不良になる場合があった。
【０００３】
また、インクが粘着性を有しているものであると原紙が圧縮板に貼り付いてしまい、圧縮しても収納空間から排紙装置開口部へ廃棄原紙が戻って、前記搬送手段に絡まってしまい、その後の動作不良になるという問題があった。
【０００４】
さらに、前記廃棄原紙の膨らみや、圧縮板への貼り付きを防止するための技術として▲１▼特開平８−１４２４８４号公報、▲２▼特開平８−１４２４８５号公報にそれぞれ開示された排版装置にかかる技術があるが、これらの何れも、排版装置開口部が搬送手段の近くに設けてあるとやはり、前記搬送手段に廃棄原紙が絡まってしまうおそれがある。
【０００５】
【発明が解決しようとする課題】
本発明は、搬送手段に廃棄原紙が絡みその後の動作不良が生じることを回避することができる排版装置を提供することを目的とする。
【０００６】
【課題を解決するための手段】
本発明は、前記目的を達成するため、以下の構成とした。
（１）．使用済みの原紙を収納する排版装置において、廃棄原紙案内用の空間からなる移動空間部と、廃棄原紙収納用の空間からなる収納空間部の２つの連通した空間部を有する収納容器と、前記移動空間部と前記収納空間部との間の分離位置で前記移動空間部と前記収納空間部とを分離している可動部材と、前記移動空間部を通過し、さらに前記可動部材上を移動することのできる圧縮板とを有し、前記圧縮板には、往動時にのみ前記可動部材を押動し、復動時には前記可動部材の通過を許すように変位する一方向ロック機構が設けられていることとした（請求項１）。
（２）．使用済みの原紙を収納する排版装置において、廃棄原紙案内用の空間からなる移動空間部と、廃棄原紙収納用の空間からなる収納空間部の２つの連通した空間部を有する収納容器と、廃棄原紙を印刷ドラムから前記移動空間部の入口である開口部に搬送する搬送手段と、前記移動空間部と前記収納空間部との間の分離位置で前記移動空間部と前記収納空間部とを分離している可動部材と、前記開口部の外側から前記開口部及び前記移動空間部を通過し、さらに前記可動部材を越える範囲で移動することのできる圧縮板とを有し、前記圧縮板には、往動時にのみ前記可動部材を押動し、復動時には前記可動部材の通過を許すように変位する一方向ロック機構が設けられていることとした（請求項２）。
（３）．（２）記載の排版装置において、前記圧縮板は前記開口部の外側から前記可動部材を越える位置まで往動したのち、復動することとした（請求項３）。
（４）．（１）乃至（３）の何れか一つに記載の排版装置において、前記可動部材は前記分離位置を原位置とし、前記圧縮板が前記移動空間部を通過中において、該圧縮板の通過を許す範囲で該圧縮板に押し動かれて前記移動空間外に向けて可動とした（請求項４）。
（５）．（１）乃至（３）の何れか一つに記載の排版装置において、前記圧縮板は前記分離位置近傍に揺動支点を有し、前記可動部材は前記移動空間部近傍に揺動支点を有し、前記可動部材の前記圧縮板により押し動かされる干渉部は、前記移動空間部側から前記収納空間部に至るほど前記圧縮部材との干渉の度合いが増す傾向の傾斜面で構成されていることとした（請求項５）。
（６）．（５）記載の排版装置において、前記可動部材が前記原位置にあるとき前記可動部材の前記揺動支点と反対側の端縁部は前記分離位置に位置し、前記収納空間部内の廃棄原紙を前記収納空間部外に出るのを防止することとした（請求項６）。
【０００７】
【発明の実施の形態】
［１］本発明の実施に適する孔版印刷装置の全体構成
孔版印刷装置の全体構成を模式的に示した図１において、該孔版印刷装置は、主として原稿読取部１、印刷ドラム２、印刷ローラ４、給紙部５、製版部１０、排版装置３０、排紙部４１、排紙トレイ５２などから構成されている。動作の概略は以下のとおりである。
【０００８】
先ず、印刷ドラム２に装着された使用済みの原紙、つまり、廃棄原紙が排版装置３０へ排出される。次に、自動原稿送り装置部１００で原稿Ｐが一枚だけ分離され、原稿読取部１でデジタル画像データとして読み取られる。この画像データに基づいて製版部１０では原紙６０を穿孔する。穿孔された原紙６０は印刷ドラム２に供給され、巻き付けられる。
【０００９】
この状態で給紙部５から一枚だけ分離された印刷用紙Ｓは印刷ドラム２と同期をとりながら印刷ドラム２の下部に供給され、印刷ローラー４で印刷ドラム２に押し付けられ、インキが転移される。インキが転移された印刷用紙Ｓは排紙爪４０と図示しないエアナイフから吹き出される空気によって印刷ドラム２から剥離され、次いで、排紙部４１を経て排紙トレイ５２上に排紙される。
【００１０】
このような印刷用紙Ｓに対する印刷が指定された枚数分印刷されると、印刷は終了し、次の印刷に入る。つまり、前記したように印刷ドラム２に装着された使用済みの原紙、つまり、廃棄原紙Ｍが排版装置３０へ排出される。
【００１１】
印刷ドラム２のまわりであって、所定の排版位置に対ローラからなる搬送手段３２が設けられている。印刷ドラム２上、廃棄原紙の一端側をくわえている爪２Ｂが、搬送手段３２近傍の所定の位置に達すると爪２Ｂが廃棄原紙を解放する。
【００１２】
搬送手段３２は廃棄原紙の先端部をくわえやすい位置まで適宜移動し、廃棄原紙Ｍの先端をくわえる。廃棄原紙Ｍをくわえた搬送手段３２は回転して廃棄原紙Ｍを印刷ドラム２から剥がす向きに回転し、これと同期して印刷ドラム２も廃棄原紙Ｍを剥がす向きに回転し廃棄原紙Ｍを収納容器３１へ向けて送り出す。
［２］請求項１、２に関連する例
図１において、搬送手段３２による廃棄原紙Ｍの送り出し方向、つまり、搬送手段３２の左方には筐体状の収納容器３１が定置されている。収納容器３１は搬送手段３２から送り出された廃棄原紙Ｍを受け取ることができる位置に配置されている。以下に示す例では、収納容器は搬送手段３２と部分的に重複した態様で設けられている。
【００１３】
収納容器３１は搬送手段３２に近い方から、移動空間部３６、収納空間部３５の２つの空間部を有している。収納空間部３６は板状の部材で囲まれた直方体状の内容積を有する空間部であり、移動空間部３５は図８、図９に示すように底板３５ａの部位が曲面状をしていて上方が開放された空間部からなる。これら２つの空間部は図８に符号６１で示す仮想の境界部６１を介して連通している。
【００１４】
移動空間部３６は搬送手段３２から送り出された廃棄原紙Ｍを収納空間部３６へ送るための案内用の空間である。収納空間部３６は移動空間部３６を経て送られてきた廃棄原紙Ｍを収納するための空間である。搬送手段３２は図１に示した孔版印刷装置の本体部分に設けるのが一般的であるが、場合によっては収納容器３１側に設けることもできる。
【００１５】
図８において説明した前記境界部６１には、通常、可動部材３７の端縁部３７ａが位置していて、この端縁部３７が移動空間部３５と収納空間部３６とを分離している。よって、境界部６１は移動空間部３５と収納空間部３６との分離位置に相当し、端縁部３７ａは分離位置で移動空間部３５と収納空間部３６とを分離している。
【００１６】
図８において、移動空間部３５の上方部位には板状をした圧縮板３３が位置している。この圧縮板３３は後に詳述するように一端側を軸３３ａに固定されていて軸３３ａと共に揺動可能である。圧縮板３３が揺動することにより該圧縮板３３の自由端側は移動空間部３５内を回動して移動する。
【００１７】
この移動のストロークは、図８に示すように移動空間部３５の上方の部位から出発して移動空間部３５を通り途中、可動部材３７上であって該可動部材３７を越える移動範囲である。この移動の過程で可動部材３７は圧縮板に押し動かされて移動空間部の下方に移動退避する。圧縮板３３は可動部材を越えた位置まで往動し、それから逆進して復動し、逆の行程を戻るが、その際も圧縮部材３３はロック機構６５の機能により可動部材３７を無理なく通過する。ロック機構６５については後述する。
【００１８】
このように、移動空間部３５、収納空間部３６を有する収納容器３１と、可動部材３７と、圧縮板３３により構成された排版装置、或いは、移動空間部３５、収納空間部３６を有する収納容器３１と、可動部材３７と、圧縮板３３と、搬送手段３２により構成による排版装置では、移動空間部３５に送り出された廃棄原紙Ｍを圧縮板３３により移動空間部３５を経て収納空間部３５に導くことができ、さらに境界部６１（分離位置）に位置する可動部材３７により収納空間部３５内に保持することができる。これにより廃棄原紙Ｍは搬送手段３２までもどることがなくなり、搬送手段３２における廃棄原紙の絡みつきもなくなる。
［３］請求項３に関連する例
圧縮板３３の軸３３ａは図１に示した孔版印刷装置の図示省略の本体部分に軸支されかつ、逆転可能なモータの回転軸に連結されている。図２において、圧縮板３３の自由端側の部分は移動空間部３５の入口である上端部に相当する開口部３４の上方の任意の位置を原位置として停止保持されるようになっている。この原位置は、圧縮板３３の一部を検知するセンサからの情報が制御手段を介して軸３３ａと連結された図示しない駆動モータに伝えられることにより、該駆動モータのブレーキ機能により保持されている。
【００１９】
搬送手段３２により廃棄原紙Ｍが移動空間部３５内に送り込まれたタイミングで、上記駆動モータが回転し、圧縮板３３は図２に示す原位置から時計まわりの向きに回動を開始し、図３に示す途中経過を経て図４に示すように可動部材３７を越える位置まで回動する。
【００２０】
図４に示すように、圧縮板３３が可動部材３７を越える位置まで回動すると、図示しないセンサによりこの回動位置が検知されて、この検知情報に基づいて上記駆動モータが逆転し、圧縮板３３は原位置に向かって復動し、図５に示す途中の状態を経て、図２に示す原位置まで復帰する。以下、次の廃棄原紙Ｍが来ると同様のサイクルを繰返す。
【００２１】
このように、図２に示すように圧縮部材３３が開口部３４の外側の原位置から図４に示すように可動部材３７を越える位置まで往動したのち、原位置に向けて復動することにより、廃棄原紙Ｍを収納空間部３６に確実に送り込むことができる。
［４］可動部材、ロック機構等
可動部材３７は図９に示すように、基端部が回転軸３８に固定されたＵ字状をした部材からなる。回転軸３８は図１に示した孔版印刷装置の本体側板に軸支されていて、該回転軸３８を揺動支点として回動可能である。回転軸３８は図２乃至図５或いは図８に示すように、移動空間部３５近傍に位置し、図示しないねじりコイルばねにより図９において符号６２で示す時計まわりの向きに付勢されている。この付勢力による可動部材３７の回転は上記本体側板に固定されたストッパ６３に自由端側が当接することにより阻止されている。
【００２２】
可動部材３７は回転軸３８上に複数設けることができる。本例では、図５において矢視Ａ方向から見た図に相当する図６に示すように間隔Ｌだけ離間させて２個設けている。ここで、間隔Ｌは廃棄原紙Ｍの幅よりも小さいものとする。仮に廃棄原紙Ｍよりも間隔Ｌが大きい場合には、廃棄原紙Ｍが間隔Ｌを通過してしまうので、収納空間部３６の内部に留め置くことができない。
【００２３】
ストッパ６３で回動が係止された状態の可動部材３７の位置を可動部材３７の原位置とする。この原位置において可動部材３７の端縁部３７ａは境界部（分離位置）６１に位置している。このように端縁部３７ａを境界部６１に位置させるため、図８、図９に示すようにて底板３５ａの一部は、可動部材３７を嵌入できる大きさに切り抜かれている。この切り抜きの部位を開口６４とする。開口６４は可動部材３７に対応して２個形成されている。
【００２４】
図８、図９或いは図１、図２乃至図５に示すように、可動部材３７の上面部は回動する圧縮板３３と干渉する干渉部を構成している。この干渉部を符号３７ｂで示す。干渉部３７ｂは、可動部材３７が原位置にあるとき、移動空間部３５側から収納空間部３６に進むほど、高さが増す傾向の傾斜面からなり、圧縮部材３３が回動により干渉するときには、圧縮部材３３が往動方向に回動しいくほど、圧縮部材３３との干渉の度合いが増す傾向の傾斜面である。この傾斜の傾向は、例えば図８に示すように、左上がりの傾斜面である。
【００２５】
図６、図７に示すように圧縮板３３には、可動部材３７の通過を可能にする大きさ及び形状の切り欠き３３ｂが形成されている。この切り欠き３３ｂが形成されただけの状態では、圧縮板３３が図８に示す原位置から図４に示す位置まで回動する過程で、可動板３７に対して全くの非干渉となり、可動板３７は常に図８に示すように移動空間部３５内に一部が突出した状態を保持することとなり、廃棄原紙Ｍを収納空間部３６へ送る通路を部分的に塞ぐことから該廃棄原紙Ｍの搬送に支障を生じてしまう。
【００２６】
そこで本例では、図７に拡大して示すように圧縮板３３にロック機構３９を設けた。圧縮板３３が原位置にある図８において、該圧縮板３３の下面に相当する面を押動面、上面に相当する面を復動面と称することにする。
【００２７】
図７において、ロック機構６５は、切り欠き３３ｂの開放側の端部を押動面側で架橋状に差し渡し状に設けられたロック回転板３９と、切り欠き３３ｂの幅方向の一方側で切り欠き３３ｂの長手方向と平行に軸線を合わせて枢着されていてロック回転板３９と一体若しくは一体的に構成された回転軸３９ｂと、ロック回転板３９の自由端部が切り欠き３３ｂの幅方向の他方側に形成した段状の引っ掛かり部３９ｄに押圧されるように回転軸３９ｂに矢印ａの向きの付勢力を作用させるねじりコイルばね３９ｃを主な構成部材としている。ここで、引っ掛かり部３３ｄは図７に示すようにロック回転板３９が嵌入することができる大きさの段状の形状をしている。
【００２８】
このような構成により、圧縮部材３３が図８に示す原位置から図４に示す位置まで往動する向きに回動する過程では、図７に示すように圧縮板３９の裏面３９ａ'の端部が引っ掛かり部３９ｄに嵌入した状態でねじりコイルばね３９ｃの弾性により押しつけられていて、実質的に切り欠き３３ｂが塞がれた状態となっている。
【００２９】
このため、圧縮板３３が図２に示す原位置より往動するとき、ロック回転板３９の側部３９ｄは、可動部材３７の上面部である干渉部に接触し、さらに押動し、可動部材３７を押し下げて移動空間部３５の外側に移動させることができるし、同時にロック回転板３９の表面部３９ａは廃棄原紙Ｍが切り欠き３３ｂから抜けないように捉えることができる。
【００３０】
また、圧縮板３３が図４に示すように可動部材３５を越える位置まで移動すると、可動部材３５は圧縮板３３から解放されるので、ストッパ６３に当接する原位置まで回動復帰し、図８に示すように端縁部３７ａが境界部６１に位置するようになる。
【００３１】
図４に示す状態から、圧縮板３３が復動方向に回動すると、それまで干渉部３７ｂにはロック回転板３９の表面部３９ａ側が押圧されていたのが、裏面部３９ａ'側が可動部材３７に対向するようになり、圧縮板３３が復動するにつれて、押圧されるように状態が切り替わる。このため、ロック回転板３９部は図７において矢印ａと反対の向き、つまりねじりコイルばね３９ｃの弾性に抗した向きの力を受けて回動し、切り欠き３３ｂを開き状態にして可動部材３５の通過を許すようになる。このように、ロック機構６５は、圧縮板３３が往動時にのみ可動部材３７を押動し、復動時には圧縮板３３が可動部材３７を通過できるように変位する。
【００３２】
以下、廃棄原紙が収納容器３１へ収納するプロセスを説明する。
▲１▼：図２において、圧縮板３３は開口部３４の上方の原位置に保持されている。可動部材３７はストッパ６３に係止されていて、端縁部３７ａが境界部６１に位置している。
【００３３】
この状態のもとで、印刷ドラム２から剥がされた破棄マスタＭは搬送手段３２によって排版装置の開口部３４を通過して移動空間３５へと落ちる。その後、圧縮板３３が往動する向きに回動を始め、破棄マスタＭは圧縮板３３により移動空間３５押し動かされる。
【００３４】
圧縮板３３はこの回動の過程で、図７に示す表面部３９ａの側部３９ｄ寄りの部位が可動板３７の上面部に接触する。そのとき、可動部材３７は回転軸３８に設けてある図示しないねじりコイルばねによって常に図の時計回りの向きに力が加わっているので圧縮板３３のロック回転板３９は可動部材３７に接触し押し下げながら回動する。
【００３５】
可動板３７の干渉部３７ｂは前記したよに所定の傾斜面で構成されているので、圧縮板３３の回動が進むにつれて、回転軸３８を中心に回動させられていき、移動空間部３５の下方、外側に退避する。よって、廃棄原紙Ｍおよび圧縮板３３の通過に際して何ら障害はない。
▲２▼：圧縮板３３は図２、図３、図４に示した順に時計回りの向きの回転動作を行ない、図４に示す状態まで動作し、可動部材３７を通過したら、反時計回りの向きに回転方向を変える。このとき、可動部材３７は、原位置に復帰し、端縁部３７ａが境界部６１に位置している。
▲３▼：図５に示すように、圧縮板３３は復動する。この過程で、ロック回転板３９は可動板３７によって矢印ａと逆向きに回動させられて開き、圧縮板３３の通過を許す。可動板３７はロック回転板３９の裏面部３９ａ'に押されて若干回動するものの、ねじりコイルばね３９ｃの力に打ち勝ってロック回転板３９ａを開くため、可動部材３７を押し下げることがない。よって可動板３７は略ストッパ６３に係止された原位置の状態を保持している。圧縮板３３が通過してしまえば、ロック回転板３９は引っ掛かり面３３ｄに当接した図７に示した状態に戻る。このように、可動板３７の端縁部３７ａは境界部６１に常時位置しているので、廃棄原紙Ｍを収納空間部３６内に留めて外部に出ることを防止する、廃棄原紙Ｍが多くなった状態では圧縮した状態を保持する。
【００３６】
【発明の効果】
本発明によれば、ロック機構により、圧縮板が往動する時にのみ可動部材を押動して移動空間外へ退避させ、それ以外のときには可動部材を分離位置に保持して廃棄原紙の収納状態を確保することができる。
【図面の簡単な説明】
【図１】孔版印刷装置の概略構成を説明した正面図である。
【図２】圧縮板、可動部材ともに原位置にあるときの排版装置の要部構成を説明した図である。
【図３】往動時の圧縮板が可動板を通過する直前の状態にあるときの排版装置の要部構成を説明した図である。
【図４】往動時の圧縮板が可動板を通過した直後の状態にあるときの排版装置の要部構成を説明した図である。
【図５】復動時の圧縮板が可動部材にさしかかる状態にあるときの排版装置の要部構成を説明した図である。
【図６】図５において矢視Ａ方向からみたときの圧縮板と可動部材の図である。
【図７】ロック機構の外観斜視図である。
【図８】圧縮板、可動部材ともに原位置にあるときの排版装置の要部断面図である。
【図９】排版装置の要部を説明した分解斜視図である。
【符号の説明】
３１  収納容器
３３  圧縮板
３４  開口部
３５  移動空間部
３７  可動部材
６５  ロック機構
Ｍ  廃棄原紙
【図１】
0004430166.tif 000002
【図２】
0004430166.tif 000003
【図３】
0004430166.tif 000004
【図４】
0004430166.tif 000005
【図５】
0004430166.tif 000006
【図６】
0004430166.tif 000007
【図７】
0004430166.tif 000008
【図８】
0004430166.tif 000009
【図９】
0004430166.tif 000010